(57)【特許請求の範囲】
【請求項１】
基板本体をパチンコ機の前面枠の下部前面を覆うよう横長状に形成し、また別体として形成される余剰球受皿を前記基板本体の前面に装着するようにした前面パネルであって、その一側に操作ハンドルを嵌着して固定するための軸筒部を前記基板本体と一体に形成し、前記軸筒部は前記基板本体を貫通してその前後両側へ突出しかつ前面が開放すると共に後面に前記操作ハンドルの回動軸の後端部を保持する軸保持孔が設けられたことを特徴とする余剰球受皿取付用の前面パネル。
【請求項２】
基板本体をパチンコ機の前面枠の下部前面を覆うよう横長状に形成し、また前記基板本体の前面に余剰球受皿を一体に形成するようにした前面パネルであって、その一側に操作ハンドルを嵌着して固定するための軸筒部を前記基板本体と一体に形成し、前記軸筒部は前記基板本体を貫通してその前後両側へ突出しかつ前面が開放すると共に後面に前記操作ハンドルの回動軸の後端部を保持する軸保持孔が設けられたことを特徴とする余剰球受皿取付用の前面パネル。
【発明の詳細な説明】
【０００１】
【産業上の利用分野】
本発明は、パチンコ機、特に電動式パチンコ機の前面枠の下部前面に取付けられ、前面に余剰球受皿が装着されると共に一側には操作ハンドルが設けられる前面パネルに関するものである。
【０００２】
【従来の技術】
従来、電動式パチンコ機にあっては、その前面枠の下部前面に取付けられ、かつ余剰球受皿が装着される前面パネルと、操作ハンドルを前面枠の一側前面に固定するための支持部材とがそれぞれ別体に形成されていた。
【０００３】
そこで、前記前面パネル及び支持部材の取付けは、例えば実公平３−３５３５６号公報に開示されている。すなわち、図１０に示されるよう、中央部の前後位置に軸筒部１０１が突設された支持部材１００をパチンコ機の前面枠１０２の前面にビス１０３止めして固定し、また余剰球受皿が装着される前面パネル１０４をその一側に開設された透孔１０５を前記軸筒部１０１に嵌着して前面枠１０２の前面に取り付けるようにしている。そして、前記軸筒部１０１内に操作バー１０６と一体をなす回動軸１０７を挿通しつつ、軸筒部１０１の外周面に保持筒１０８を嵌着固定して操作ハンドル１０９が取り付けられる。
【０００４】
【発明が解決しようとする課題】
このように、従来は操作ハンドル１０９を固定する支持部材１００と前面パネル１０４とが別体に形成されているので、それぞれの金型を造らねばならず、形成が大変でありしかも製造コストが嵩んでいた。また、支持部材１００も前面パネル１０４もビス止めするので取付作業に面倒な手間と多くの時間を要するという課題が有った。更に、使用に際しては、支持部材１００がガタ付き易く、ともすると打球の弾発力の調節が狂い正常な打球の発射ができなくなるという課題も有った。
更に、付言すれば、前面パネル１０４と余剰球受皿も別体に形成されていることから、これら成形にそれぞれ金型を造るなど製造コストの面及び取付作業の面において前記と同様に解決すべき課題が有った。
そこで、本発明は上記課題を解決すべくなされたもので、軸筒部更には余剰球受皿を前面パネルと一体に成形するようにして、コストの低廉と取付作業の簡素化を図ると共に、打球の発射動作が安定する余剰球受皿取付用の前面パネルを提供することを目的とするものである。
【０００５】
【課題を解決するための手段】
かかる目的を達成するため本発明に係る余剰球受皿取付用の前面パネルは、基板本体をパチンコ機の前面枠の下部前面を覆うよう横長状に形成し、また別体として形成される余剰球受皿を前記基板本体の前面に装着するようにした前面パネルであって、その一側に操作ハンドルを嵌着して固定するための軸筒部を基板本体と一体に形成してなり、該軸筒部は基板本体を貫通してその前後両側へ突出し、更に軸筒部の後側に操作ハンドルの回動軸が挿通される軸保持部を設けるようにしている。これにより、前面パネルをパチンコ機の前面枠の下部前面に取り付けるのみで、同時に軸筒部が取付けられ、取付作業の簡素化が図られる。
【０００６】
また、基板本体と余剰球受皿を一体に形成するようにすれば、取付作業の簡略化が一層促進される。
【０００７】
【発明の実施の形態】
以下に本発明に係る余剰球受皿取付用の前面パネルの発明の実施の形態を図面と共に説明する。図１は電動式パチンコ機の正面図である。図中、１は機枠，２は該機枠１の前面に開閉自在に装着される前面枠であり、その上部前面にガラス枠３と前板４が開閉自在に装着されている。ガラス枠３の後側には遊技盤５が配設され、該遊技盤５の前面にガイドレール６が取り付けられ、該ガイドレール６で囲まれる遊技部７に複数の入賞口や変動入賞口等が配設される。また、前記前板４の前面に打球供給皿８が取り付けられる。そして、前面枠２の下部前面には余剰球受皿９とその一側に操作ハンドル１０が装着されている。
【０００８】
１１は前面枠２の下部前面に取り付けられる合成樹脂製の前面パネルである。前記余剰球受皿９は前面パネル１１と別体に形成され、その前面にビス止めして装着されるようになっており、図３に示すようその中央に後側が開放した球貯溜部１２を有すると共にその一側に灰皿１３が装着される。また、前面パネル１１の基板本体１４には、余剰球受皿９の後端部が嵌り込む凹面部１５が設けられ、その中央に景品球を球貯溜部１２に排出するための排出口１６が開設されている。更に、凹面部１５の周縁に複数のビス止め孔１７が設けられる。
【０００９】
そこで、前記凹面部１５に後端面を当接させ各ビス止め孔１７に基板本体１４の裏側からビスを挿通し、球貯溜部１２の後端外周面に螺締することにより図２に示すよう余剰球受皿９が前面パネル１１の前面に装着される。
【００１０】
しかして、前面パネル１１の一側には図３に示すよう操作ハンドル１０を嵌着して固定するための軸筒部１８が基板本体１４と一体に形成される。該軸筒部１８は操作ハンドル１０の保持筒２５が嵌合する内径を有し、基板本体１４を貫通してその前後両側へ突出し、かつ前面が開放すると共に後面が閉塞されている。また、軸筒部１８の後面１９に図５に示すよう操作ハンドル１０の後述する回動軸２８の後端部を保持する軸保持部としての軸保持孔２０と、配線引出用の引出口２１とが開設され、内周面には１８０度位置を違えて軸方向と平行に一対の嵌合突条２２，２２が設けられる。２３は軸筒部１８の先端寄りで両嵌合突条２２，２２が設けられる。２３は軸筒部１８の先端寄りで下側の嵌合突条２２の位置に設けられたビス挿通孔である。
【００１１】
操作ハンドル１０は、図６に示すよう前方へ突出する前握持部材２４と、後方へ突出する保持筒２５を有する後握持部材２６と、両握  部材２４，２６との間に介装され回動自在に設けられた操作レバー２７とよりなり、保持筒２５の内側に操作レバー２７と一体をなす回動軸２８を挿通させる内筒２９が設けられ、外周面には前記嵌合突条２２，２２が嵌り込む嵌入溝３０，３０が設けられている。３１は下側の嵌入溝３０内に設けられ、前記ビス挿通孔２３と連通し得るビス孔である。
【００１２】
そこで、前面パネル１１の取付けについて説明する。まず、余剰球受皿９をビス止めした前面パネル１１を前面枠２の下部前面に当てがい、基板本体１４の四隅部に設けた各ビス取付孔３２にビスを挿通して螺着する。これにより軸筒部１８が同時に取付けられることとなる。このように、前面パネル１１と軸筒部１８とが一体に成形されることにより、製造上の手間が省け、製造コストも低廉になし得、また取付作業の迅速化が図られる。また、軸筒部１８は前面パネル１１に一体に設けられ、広い面積の基板本体１４によって保持されることになるので、堅固な構造となりガタ付きがほとんどなくなる。
【００１３】
操作ハンドル１０の取付けは、図７に示すよう保持筒２５を軸筒部１８内に両嵌合突条２２，２２を両嵌入溝３０，３０に合致させて嵌入し、ビス挿通孔２３を介してビス孔３１へビス３３を螺合して操作ハンドル１０が固定される。軸保持孔２０から後方へ突出する回動軸２８の後端部には、図示は略省するが巻取プーリが装着され、該巻取プーリに打球槌を所定の引張力で牽引するワイヤーが連結される。
【００１４】
図８，９の前面パネル１１ａは、その前面に余剰球受皿９ａを一体に成形したものであって、軸筒部１８の構成は前記と同様であり、またこれら前面パネル１１ａと操作ハンドル１０の取付けも同様であるので、符号のみを付し詳細な説明は割愛する。
このように、前面パネル１１ａと余剰球受皿９ａを一体に成形するようにすれば、前記余剰球受皿９ａを別体に形成するものに比べ、製造上の手間が更に省けると共に製造コストもより低廉になし得る。
【００１５】
【発明の効果】
以上述べたように、本発明に係わる余剰球受皿取付用の前面パネルは、操作ハンドルを固定する軸筒部を前面パネルに一体に形成するようにしたので、従来の如く軸筒部を別体に形成する場合に比べ金型を余分に造る必要がなく成形が簡単となるばかりか、製造コストを低廉になし得る。また、その取付作業も容易となり取付作業の迅速化が図られる。更に、使用に際して、軸筒部が広い面積を持つ基板本体によって保持されることから、堅固な構造となりガタ付きが解消される。これにより、打球の弾発力の調整がし易く打球の発射動作が安性するという効果を有する。
【００１６】
また、前面パネルと余剰球受皿を一体に成形するようにすれば、その成形が更に容易となり、取付作業の簡略化，製造コストの低廉が一層促進される。
【図面の簡単な説明】
【図１】  本発明が適用されるパチンコ機の正面図。
【図２】  余剰球受皿が装着された前面パネルの斜視図。
【図３】  余剰球受皿と前面パネルとを分解して示す斜視図。
【図４】  余剰球受皿を装着した前面パネルの平面図。
【図５】  前面パネルの要部裏面図。
【図６】  本発明の要部を一部断面で示す側面図。
【図７】  図６のＸ−Ｘ線断面図。
【図８】  余剰球受皿を一体に形成した前面パネルの斜視図。
【図９】  同要部を一部断面で示す側面図。
【図１０】  従来の前面パネルと支持部材の取付状態を示す平面断面図。
【符号の説明】
２                前面枠
９，９ａ          余剰球受皿
１０              操作ハンドル
１１，１１ａ      前面パネル
１４              基板本体
１８              軸筒部
２０              軸保持孔
２８              回動軸
【図１】
0003877343.tif 000002
【図２】
0003877343.tif 000003
【図３】
0003877343.tif 000004
【図４】
0003877343.tif 000005
【図５】
0003877343.tif 000006
【図６】
0003877343.tif 000007
【図７】
0003877343.tif 000008
【図８】
0003877343.tif 000009
【図９】
0003877343.tif 000010
【図１０】
0003877343.tif 000011